(57)【要約】【課題】衣類の量が多く洗濯液に完全に浸漬しない場合でも、洗いムラを低減する。【解決手段】パルセータ６と、衣類を収容しパルセータ６を略中央底部に有する洗濯兼脱水槽４と、洗濯兼脱水槽４を回転自在に内包する外槽３と、パルセータ６および洗濯兼脱水槽４を回転駆動するモータ８と、外槽３に給水を行う給水弁１４と、洗濯兼脱水槽４の内側壁面に配設された樹脂部材３０と、モータ８および給水弁１４を動作し洗い行程を制御するマイクロコンピュータよりなる制御手段２６とを備え、洗い工程において、パルセータ６を一つの回転方向に小刻みに連続回転させることで、衣類を樹脂部材３０に引っ掛けて偏らせ衣類の重心位置を高くした後、パルセータ６を前記回転方向とは逆の回転方向に大きく回転させて前記重心位置をずらすことで衣類の上下入れ替えを行い、衣類全体に対して洗濯液中の界面活性剤に作用する時間を均一化することで洗いムラを低減する。【選択図】図１
2013236861.tif 000002
【特許請求の範囲】
【請求項１】
衣類を攪拌するパルセータと、衣類を収容し前記パルセータを略中央底部に有する洗濯兼脱水槽と、前記洗濯兼脱水槽を回転自在に内包する外槽と、前記パルセータおよび前記洗濯兼脱水槽を回転駆動するモータと、前記外槽に給水を行う給水弁と、前記洗濯兼脱水槽の内側壁面に配設された樹脂部材と、前記モータおよび前記給水弁を動作し洗い行程を制御するマイクロコンピュータよりなる制御手段とを備え、洗い工程において、前記パルセータを一つの回転方向に小刻みに連続回転させることで、衣類を前記樹脂部材に引っ掛けて偏らせ衣類の重心位置を高くした後、前記パルセータを前記回転方向とは逆の回転方向に大きく回転させて前記重心位置をずらすことで衣類の上下入れ替えを行うことを特徴とする洗濯機。
【発明の詳細な説明】
【技術分野】
【０００１】
本発明は、洗い工程において、洗濯兼脱水槽内の衣類の上下入れ替えにより衣類全体に対して洗濯液中の界面活性剤に作用する時間を均一化することで洗いムラを低減する洗濯機に関する。
【背景技術】
【０００２】
従来、全自動洗濯機は中央底部に回転自在に配設されたパルセータを回転させて衣類を撹拌して、衣類同士、または洗濯兼脱水槽の内壁やパルセータとの接触により作用する機械力と、水流による力により汚れを落とす手段を提案してきた。
【０００３】
図１は全自動洗濯機の縦断面図である。図１に示すように給水弁１４から中央底部にパルセータ６を回転自在に配設した洗濯兼脱水槽４を内包した外槽３に給水し、マイクロコンピュータよりなる制御手段２６と、洗濯兼脱水槽４を回転駆動するモータ８によって、パルセータ６を回転させる構成である。
【０００４】
また、洗濯液中の衣類を水平方向に回転させるだけでなく、上下方向の水流を発生させる技術も提案されている。（例えば特許文献１参照）。
【先行技術文献】
【特許文献】
【０００５】
【特許文献１】特開２００５−６７４４号公報
【発明の概要】
【発明が解決しようとする課題】
【０００６】
しかしながら、近年、洗濯容量の大容量化が進む一方で、節水意識の高まりを受けて洗濯の使用水量はできる限り少なく設定されている洗濯機が増えてきた。従来の攪拌動作による洗いでは、投入する衣類の量が洗濯液に比べて多く、衣類の一部が洗濯兼脱水槽内で洗濯液に完全に浸漬しない場合がある。
【０００７】
その場合、衣類が十分な浮力を得られずに衣類の動きが悪くなり、特に上下方向の動きが減少する。その結果、洗い行程中、洗濯液面よりも上部にある衣類は、水に浸漬している衣類と比較して、洗濯液に含まれる界面活性剤の作用する機会が極端に少なくなる。
【０００８】
そのため、洗濯物の中で洗浄力作用に差が生まれ洗いムラが発生してしまうという課題を有していた。
【０００９】
本発明は、上記従来の課題を解決するもので、洗濯兼脱水槽壁面の樹脂部材の突出を利用した攪拌動作によって洗濯物の上下入れ替えを実現し、衣類全体に対して洗濯液中の界面活性剤が作用する時間を均一化することで洗いムラを低減することができる全自動洗濯機を提供することを目的としている。
【課題を解決するための手段】
【００１０】
本発明は上記目的を達成するために、本発明の洗濯機は、衣類を攪拌するパルセータと、衣類を収容し前記パルセータを略中央底部に有する洗濯兼脱水槽と、前記洗濯兼脱水槽を回転自在に内包する外槽と、前記パルセータおよび前記洗濯兼脱水槽を回転駆動するモータと、前記外槽に給水を行う給水弁と、前記洗濯兼脱水槽の内側壁面に配設された樹脂部材と、前記モータおよび前記給水弁を動作し洗い行程を制御するマイクロコンピュータよりなる制御手段とを備え、洗い工程において、前記パルセータを一つの回転方向に小刻みに連続回転させることで、衣類を前記樹脂部材に引っ掛けて偏らせ衣類の重心位置を高くした後、前記パルセータを前記回転方向とは逆の回転方向に大きく回転させて前記重心位置をずらすことで衣類の上下入れ替えを行うものである。
【００１１】
これによって、洗い行程中に衣類を洗濯液上面に一旦持ち上げた後、衣類のバランスを崩すことで上下入れ替えを行い、衣類全体に対して洗濯液中の界面活性剤に作用する時間を均一化することができ、洗いムラを低減することができるようになる。
【発明の効果】
【００１２】
本発明によれば、洗い工程の途中で、攪拌動作の組合せによって洗濯物の上下入れ替えを実現し、洗濯物が水に完全に浸漬しない程度の水量であっても、洗いムラの発生を防止することができる。
【図面の簡単な説明】
【００１３】
【図１】従来例および本発明の実施の形態における洗濯機の縦断面図
【図２】同洗濯機のブロック回路図
【図３】同洗濯機の洗い、すすぎ、脱水の各工程におけるシーケンスを示す図
【図４】本発明の実施の形態における衣類上下入れ替え動作を示す図
【図５】同、衣類上下入れ替え動作を示す図
【図６】同、衣類上下入れ替え動作を示す図
【図７】同、衣類上下入れ替え動作を示す図
【発明を実施するための形態】
【００１４】
本発明の洗濯機は、衣類を攪拌するパルセータと、衣類を収容し前記パルセータを略中央底部に有する洗濯兼脱水槽と、前記洗濯兼脱水槽を回転自在に内包する外槽と、前記パルセータおよび前記洗濯兼脱水槽を回転駆動するモータと、前記外槽に給水を行う給水弁と、前記洗濯兼脱水槽の内側壁面に配設された樹脂部材と、前記モータおよび前記給水弁を動作し洗い行程を制御するマイクロコンピュータよりなる制御手段とを備え、洗い工程において、前記パルセータを一つの回転方向に小刻みに連続回転させることで、衣類を前記樹脂部材に引っ掛けて偏らせ衣類の重心位置を高くした後、前記パルセータを前記回転方向とは逆の回転方向に大きく回転させて前記重心位置をずらすことで衣類の上下入れ替えを行うことができる。
【００１５】
以下、本発明の実施の形態について、図面を参照しながら説明する。なお、従来例と同じ構成のものは同一符号を付して説明を省略する。また、この実施の形態によって本発明が限定されるものではない。
【００１６】
（実施の形態１）
図１は、本発明の実施の形態１における洗濯機の縦断面図、図２はブロック回路図である。
【００１７】
図１において、筐体１は、内部に複数のサスペンション２によって弾性的に吊り下げた外槽３を設け、脱水時の振動をサスペンション２によって吸収する。
【００１８】
外槽３の内部には、衣類を収容する洗濯兼脱水槽４を洗濯・脱水軸５を中心に回転可能に配設し、洗濯兼脱水槽４の内底部には衣類を撹拌するパルセータ６を回転自在に配設している。洗濯・脱水軸５は、パルセータ６を回転する洗濯軸と、洗濯兼脱水槽４を回転させる脱水軸とを中空で２重構造にしたものである。
【００１９】
また、洗濯兼脱水槽４の内部周壁には、脱水時の水抜き穴の役割を果たす脱水孔４ａを多数設けるとともに、投入された洗剤を外槽３底部まで導く樹脂部材３０を配設している。樹脂部材３０は厚みがあり、洗濯兼脱水槽４の内側へ突出しており、洗濯液中に含まれるリントを回収する機能を有することもある。また、洗濯兼脱水槽４の上部には洗濯兼脱水槽４の回転時の振動を抑制する流体バランサ７を設けている。
【００２０】
モータ８は、外槽３の外底部に取り付け、洗いまたは脱水時に回転力の伝達を洗濯・脱水軸５に切り替えるクラッチ９と洗濯・脱水軸５を介して、洗濯兼脱水槽４またはパルセータ６を回転駆動するように連結されている。また、クラッチ９はパルセータ６の回転方向を正逆反対方向に切り換える。
【００２１】
パルセータ６は撹拌用突出部１０を形成し、洗濯物が撹拌により、回転方向に伴って左右に入れ替わるという動きをするように構成されている。
【００２２】
筐体１の上部は、略中央部に衣類投入口１１を有する上部枠体１２が装着されており、衣類投入口１１を覆うように外蓋１３が開閉自在に設けられている。
【００２３】
また、上部枠体１２の後方内部には、給水弁１４などを装着した支持部材１５が設けられている。
【００２４】
給水弁１４は、２個以上の水路が開閉可能な複数弁構成とし、水路は給水ホース１６にて、支持部材１５に設けた注水部材（図示せず）等を介して洗濯兼脱水槽４に洗濯水として、外部からの水源を給水可能に接続している。
【００２５】
制御装置１７は、一体集中的に形成するとともに、筐体１の背面部（裏カバー）１８に略垂直に配設している。また、制御装置１７は、カバー１９にて覆われ保護されている。
【００２６】
上部枠体１２の前面部には、入力設定手段２０と表示手段２１とで構成される操作表示部２２が設けられている。
【００２７】
図２のブロック回路図において、制御装置１７は、負荷駆動手段２３を介して、モータ８、クラッチ９や、排水弁２５、給水弁１４などの動作を制御し、洗い、すすぎ、脱水、の各行程を制御する制御手段２６を有している。
【００２８】
制御手段２６は、マイクロコンピュータなどで構成し、商用電源２７から、電源スイッチ２８のＯＮにより電力が供給されて動作を始め、水位検知手段２９の出力を入力し、入力設定手段２０にて使用者の入力により設定された内容に基づいて、表示手段２１に設定内容を表示するとともに、双方向サイリスタ、リレーなどで構成した負荷駆動手段２３を介して、モータ８、クラッチ９、排水弁２５、給水弁１４などの動作を制御し、洗い、すすぎ、脱水の各行程を制御する。
【００２９】
上記構成において、洗い、すすぎ、脱水の各工程における基本的な動作を説明する。図３は、洗い、すすぎ、脱水行程のシーケンスを示すものである。
【００３０】
洗い行程では、外蓋１３を開けて洗濯兼脱水槽４に衣類と洗剤を投入し、運転を開始すると給水ａにて所定の水位まで洗濯兼脱水槽４内に給水した後、モータ８を駆動する。このとき、伝達機構部のクラッチ９を洗濯側に切り換えて、モータ８の動力を洗濯軸を介してパルセータ６に伝達し、パルセータ６を回転させる。この回転に伴い、衣類がパルセータ６の撹拌用突出部１０に引っかかり、パルセータ６の中心部へ引き込まれる。引き込まれた衣類により、洗濯兼脱水槽４の回転中心の下層部の衣類は、洗濯兼脱水槽４の上層部へ押し上げられる。このようにして洗濯兼脱水槽４内の衣類を撹拌して、衣類同士、または洗濯兼脱水槽４の内壁やパルセータ６との接触により作用する機械力と、水流による力によって洗いが行われる。
【００３１】
図４〜図７は、投入する衣類の量が洗濯液に比べて多く、衣類の一部が洗濯兼脱水槽内で洗濯液に完全に浸漬しない場合について、洗い行程中に衣類がパルセータ６によって攪拌されることに伴う、洗濯兼脱水槽４の内部での衣類の挙動を示すものである。前記洗い行程の途中で、図４、図５、図６、図７の順に示すように衣類の上下入れ替え動作を行う。次に、衣類の上下入れ替え動作を図４〜図７を用いて説明する。
【００３２】
図４において、パルセータ６を一つの回転方向に小刻みに連続して回転させる。ここでは、パルセータ６の回転方向は、洗濯兼脱水槽４の上方から見て右回りである。洗濯兼脱水槽４に投入された衣類が多く、衣類が洗濯液に完全に浸漬していない場合には、パルセータ６が回転することで、衣類がパルセータ６の撹拌用突出部１０の回転に伴い洗濯兼脱水槽４内を回転しようとする。そこで、パルセータ６を同一の回転方向に小刻みに連続回転させることで、衣類の一部が樹脂部材３０に引っかかり、パルセータ６の回転方向への自由な移動が妨げられ、衣類は次第に塊状となり、図５に示すように衣類の一部は洗濯兼脱水槽４の壁面上部へ押し上げられる。
【００３３】
パルセータ６を同一の回転方向に小刻みに連続回転させることで、図６のように、さらに衣類の一部が洗濯兼脱水槽４の壁面上部へ押し上げられ、塊状となった衣類は垂直方向にかさが高くなっていく。このとき塊状の衣類は重心位置も当然ながら高くなっている。
【００３４】
次に、パルセータ６を前述とは逆回転方向に、前述のような小刻みではなく、大きく滑らかに回転させる。ここでは、パルセータ６の回転方向は、洗濯兼脱水槽４の上方から見て左回りとなる。
【００３５】
このとき、パルセータ６の大きな逆回転によって洗濯兼脱水槽４底部にある衣類が逆方向に移動し、これに伴い、塊状の衣類はパルセータ６の回転方向即ち樹脂部材３０から離れる方向に移動しようとし、図６のように垂直方向にかさが高くなり重心位置も高くなっていた塊状の衣類は、重心位置が大きくずれ、図７のようにバランスを崩して、塊状の衣類が洗濯兼脱水槽４内で倒れ込むことになる。
【００３６】
この結果、衣類の上層部の位置が洗濯兼脱水槽４内の中央方向へ移動し、再度、パルセータ６を前述のように小刻みに回転させると、それまで水没していた衣類の部分が新たに洗濯兼脱水槽４の壁面上部へ押し上げられるようになる。
【００３７】
このように、パルセータ６を小刻みに同一の方向に回転させた後、逆方向に大きく回転させる動作を繰り返すことで、衣類の上下が入れ替わる。衣類の上下入れ替え動作終了後は、パルセータ６の動作は衣類上下入れ替え動作以前と同じ動作を繰り返す。洗い行程中に適宜このようなパルセータの動きを繰り返し行うことで、洗いムラが低減できるようになる。
【００３８】
すすぎ（１）行程では、排水弁２５を開いて洗濯兼脱水槽４内の水を排水ホース３１より排水した後、伝達機構部のクラッチ９をＯＮにして脱水側に切り換えて、モータ８の動力を、脱水軸を介し洗濯兼脱水槽４に伝達して高速回転させる。衣類に遠心力を与えることにより、水分を衣類から分離することで脱水を行う。
【００３９】
次に、モータ８を停止し、クラッチ９をＯＦＦにして洗濯側に切り換えた後、給水ａにて所定の水位まで給水し、再びモータ８を駆動してパルセータ６を回転し、衣類から洗剤液を出すための攪拌を開始する。
【００４０】
すすぎ（２）行程、つまり最終すすぎ行程では、すすぎ（１）と同様に排水と脱水が行なわれ、排水弁２５を閉じた後に給水弁１４が動作して給水ホース１６を介して給水が開始され、注水部材（図示せず）等を介して洗濯兼脱水槽４に所定の水位まで給水し、モータ８がパルセータ６を駆動し、すすぎが始まる。
【００４１】
脱水行程では、すすぎ終了後、排水弁２５を開いて洗濯兼脱水槽４内の水を排水ホース３１より排水し、伝達機構部のクラッチ９をＯＮにして脱水側に切り換えて、モータ８の動力を、脱水軸を介し洗濯兼脱水槽４に伝達して高速回転させ、衣類に遠心力を与えることにより、水分を衣類から分離する。このようにして、洗いから脱水までが終了する。
【００４２】
以上のように、本実施の形態においては、洗濯兼脱水槽４壁面の樹脂部材３０に厚みがあり洗濯兼脱水槽４の内側へ突出していることを利用した攪拌動作によって洗濯物の上下入れ替えを実現し、衣類全体に対して洗濯液中の界面活性剤に作用する時間を均一化することで洗いムラを低減することができる。
【産業上の利用可能性】
【００４３】
以上のように、パルセータの攪拌動作によって洗濯物の上下入れ替えを実現し、衣類の洗いムラを低減することが可能となるので、家庭用の洗濯機以外にも業務用の洗濯機等の用途にも適用できる。
【符号の説明】
【００４４】
３  外槽
４  洗濯兼脱水槽
６  パルセータ
８  モータ
１４  給水弁
２６  制御手段
３０  樹脂部材
【図１】
2013236861.tif 000003
【図２】
2013236861.tif 000004
【図３】
2013236861.tif 000005
【図４】
2013236861.tif 000006
【図５】
2013236861.tif 000007
【図６】
2013236861.tif 000008
【図７】
2013236861.tif 000009